(57)【要約】      （修正有）【課題】共振点を強制通過することを抑制することで、凝縮器空冷ファンのファンモータと圧縮機の合計電力を抑制でき、省エネとなるショーケースを提供する。【解決手段】サブクールを作るための凝縮器空冷ファンを有し、その凝縮器空冷ファンは回転数のコントロールが行え、圧縮機も冷却能力に適した能力にするために圧縮機回転数をコントロールできるショーケースにおいて、所要冷却能力の変化に応じて、圧縮機の回転速度を変更する場合、狙うべく圧縮機の回転数が、ショーケース配管などの固有周波数に１０〜数Hz以内となる場合は、凝縮器空冷ファンのファン速度を上げ、サブクールをとることで、圧縮機側を増速させない。【選択図】図１
2014070874.tif 000002
【特許請求の範囲】
【請求項１】
断熱壁で形成されるショーケース本体の内部を、商品の陳列棚を有する商品収納庫と、その外側の庫内ファンによる冷気循環ダクトとに庫内壁面板で区画し、該冷気循環ダクト内に冷却器を配設し、冷気循環ダクトの片側端部を空気の吸込口に、前記吸込口と対向する片側端部を冷気の吹出口に形成し、該吹出口から吹き出す冷気で開口に冷気エアカーテンを形成して商品収納庫内を冷却するショーケースで、ショーケース本体の下部に形成される機械室内には、冷気を作るための、圧縮機、凝縮器などを収納し、サブクールを作るための凝縮器空冷ファンを有し、その凝縮器空冷ファンは回転数のコントロールが行え、圧縮機も冷却能力に適した能力にするために圧縮機回転数をコントロールできるショーケースにおいて、
所要冷却能力の変化に応じて、圧縮機の回転速度を変更する場合、狙うべく圧縮機の回転数が、ショーケース配管などの固有周波数に１０〜数Hz以内となる場合は、凝縮器空冷ファンのファン速度を上げ、サブクールをとることで、圧縮機側を増速させないことを特徴とするショーケース。
【請求項２】
凝縮器空冷ファン速度を上げても必要能力を得られない場合は、共振周波数を一気に通過させ、冷却能力増の状態にして、凝縮器空冷ファン速度を増速状態から、低下させていく請求項１記載のショーケース。
【請求項３】
断熱壁で形成されるショーケース本体の内部を、商品の陳列棚を有する商品収納庫と、その外側の庫内ファンによる冷気循環ダクトとに庫内壁面板で区画し、該冷気循環ダクト内に冷却器を配設し、冷気循環ダクトの片側端部を空気の吸込口に、前記吸込口と対向する片側端部を冷気の吹出口に形成し、該吹出口から吹き出す冷気で開口に冷気エアカーテンを形成して商品収納庫内を冷却するショーケースで、ショーケース本体の下部に形成される機械室内には、冷気を作るための、圧縮機、凝縮器などを収納し、サブクールを作るための凝縮器空冷ファンを有し、その凝縮器空冷ファンは回転数のコントロールが行え、圧縮機も冷却能力に適した能力にするために圧縮機回転数をコントロールできるショーケースにおいて、
所要冷却能力の変化に応じて、圧縮機の回転速度を変更する場合、ショーケース配管の振動を検知する振動量を測定し、振動量が増加した場合は、圧縮機回転速度の増加を止め、もしくは低下させ、その分の冷却能力低下を、凝縮器空冷ファンのファン速度を上げ、サブクールをとることで補うことを特徴とするショーケース。
【請求項４】
凝縮器空冷ファンのファン速度を上げても冷却能力を得られない場合は、振動量が一旦は増加しても、再度低下するまで圧縮機回転速度を増速させ、その状態で凝縮器空冷ファンのファン速度を適正な回転数に戻すことを特徴とする請求項３記載のショーケース。
【発明の詳細な説明】
【技術分野】
【０００１】
本発明は、ショーケース本体の下部に機械室を形成する冷凍冷蔵ショーケースに関するものである。
【背景技術】
【０００２】
オープンショーケースで冷凍機内蔵型のショーケース１は、その一例として下記特許文献にもあるが、図３、図４に示すように、内側に商品収納部３を形成する前面開口のショーケース本体２と、該ショーケース本体２の下部に設置された機械室４とを備えたものである。
【特許文献１】特許第３７４２７２６号公報
【０００３】
側断面が略コ字状の断熱壁５によるショーケース本体２の内側は仕切板６により商品収納部３と冷気ダクト１３とに区画され、商品収納部３には、複数段（図示では５段）の着脱自在の商品棚１１と、底棚１２を配置した。
【０００４】
図中８は、断熱壁５の前端部から背面板７の上端に亘って被装した天井パネル、９は側板、１０は側板９の外側左右に設けた一対のガラス板である。
【０００５】
仕切板６及び底棚１２と断熱壁５との間隙に形成した前記冷気ダクト１３の上部前端には、冷気を商品収納部３方向へ吐出する吐出口１４を形成し、冷気ダクト１３の下部前端には、外気をダクト内へ吸入する吸入口１５を形成する。
【０００６】
冷気ダクト１３の吐出口１４から背面側に亘って、吐出口１４から吐出される冷気を整流する整流板１６を設ける。
【０００７】
冷気ダクト１３の下部であって底棚１２の下方には、冷却ファン１７を設置し、冷気ダクト１３の後方であって約下半分に冷却器１８を設置する。
【０００８】
機械室４には、前記冷却器１８と接続して冷凍サイクルを形成する凝縮器１９及び圧縮機２０と、主として凝縮器１９を冷却するとともに機械室４の各機器を冷却する凝縮器空冷ファン２１を設置する。
【０００９】
また、機械室４の前面は取り外し可能な前面パネルとなり、機械室４の後端部上面は、断熱壁５の背面壁と背面板７との間に形成された排気ダクト２２と連通させ、凝縮器空冷ファン２１により送風された空気は、サブクールを作るものとして凝縮器１９を冷却し、その後、該排気ダクト２２を流通してショーケース１の上方へ排出される。
【００１０】
ところで、前記ショーケース１の機械室４は、図２に示すように、枠体４１と、枠体４１の床２面に配置され該床面を前後に分割する前基台４２及び後基台４３を備え、この前基台４２は、枠体４１の底面上を摺動して前方に引き出し可能に配置し、前後方向に伸縮可能となる冷媒配管５３を介して接続した凝縮器１９と圧縮機２０及び受液器との接続状態を維持したまま、すなわち、冷凍サイクルを維持したまま、前方に引き出すことができるようにしている。
【００１１】
冷媒配管５３で、可撓性を有する銅パイプからなり、ショーケース１の前後方向を軸としてコイル状に巻回され、材質は、可撓性を有する銅パイプからなり、断熱材により被覆されていることもある。
【００１２】
図中２５は制御基板を収納する電装ボックスで、前基台４２上で凝縮器１９の隣に設置され、制御基板等の修理が必要とされる場合、前基台４２を前方に引き出すことにより、この電装ボックス２５も凝縮器１９とともに前方に引き出すことができる。
【発明の概要】
【発明が解決しようとする課題】
【００１３】
かかるショーケースにおいて、これらを構成する部品の固有振動数と圧縮機運転での振動により、共振状態となった場合、騒音となったり、振動が増加することで配管の歪みにより、配管の折れが発生しかねない。
【００１４】
そのため、共振点となる圧縮機運転周波数帯を避けて運転するため、必要とする冷却能力以上の性能となり、消費電力を増加させてしまうことがある。
【００１５】
なお、前記のように、機械室内のユニットが引き出せる構造になっており、配管が固定されていない箇所がある。これにより、配管応力試験で、共振点をさけた構造としていても、配管が固定されていないユニットをひきだすことにより、共振点が変化しかねない。
【００１６】
本発明の目的は前記従来例の不都合を解消し、共振点を強制通過することを抑制することで、凝縮器空冷ファンのファンモータと圧縮機の合計電力を抑制でき、省エネとなるショーケースを提供することにある。
【課題を解決するための手段】
【００１７】
前記目的を達成するため請求項１記載の本発明は、断熱壁で形成されるショーケース本体の内部を、商品の陳列棚を有する商品収納庫と、その外側の庫内ファンによる冷気循環ダクトとに庫内壁面板で区画し、該冷気循環ダクト内に冷却器を配設し、冷気循環ダクトの片側端部を空気の吸込口に、前記吸込口と対向する片側端部を冷気の吹出口に形成し、該吹出口から吹き出す冷気で開口に冷気エアカーテンを形成して商品収納庫内を冷却するショーケースで、ショーケース本体の下部に形成される機械室内には、冷気を作るための、圧縮機、凝縮器などを収納し、サブクールを作るための凝縮器空冷ファンを有し、その凝縮器空冷ファンは回転数のコントロールが行え、圧縮機も冷却能力に適した能力にするために圧縮機回転数をコントロールできるショーケースにおいて、所要冷却能力の変化に応じて、圧縮機の回転速度を変更する場合、狙うべく圧縮機の回転数が、ショーケース配管などの固有周波数に１０〜数Hz以内となる場合は、凝縮器空冷ファンのファン速度を上げ、サブクールをとることで、圧縮機側を増速させないことを要旨とするものである。
【００１８】
請求項１記載の本発明によれば、必要とする冷却能力に応じて圧縮機の回転数制御を行う場合、共振点近傍での運転では、機械室に設置したＤＣファンモータの回転数を増加させることにより、凝縮器空冷ファンのファン速度を上げ、サブクールをとることで、圧縮機運転周波数を共振点を通過させず、必要冷却能力を得ることができる。
【００１９】
請求項２記載の本発明は、凝縮器空冷ファン速度を上げても必要能力を得られない場合は、共振周波数を一気に通過させ、冷却能力増の状態にして、凝縮器空冷ファン速度を増速状態から、低下させていくことを要旨とするものである。
【００２０】
請求項２記載の本発明によれば、凝縮器空冷ファン速度を上げてもサブクールでは必要冷却能力が得られない場合は、圧縮機の回転数を上げて共振周波数を一気に通過させ、凝縮器空冷ファン速度を増速状態から、低下させていくことで、凝縮器空冷ファンのファンモータと圧縮機の合計電力を抑制できる。
【００２１】
請求項３記載の本発明は、断熱壁で形成されるショーケース本体の内部を、商品の陳列棚を有する商品収納庫と、その外側の庫内ファンによる冷気循環ダクトとに庫内壁面板で区画し、該冷気循環ダクト内に冷却器を配設し、冷気循環ダクトの片側端部を空気の吸込口に、前記吸込口と対向する片側端部を冷気の吹出口に形成し、該吹出口から吹き出す冷気で開口に冷気エアカーテンを形成して商品収納庫内を冷却するショーケースで、ショーケース本体の下部に形成される機械室内には、冷気を作るための、圧縮機、凝縮器などを収納し、サブクールを作るための凝縮器空冷ファンを有し、その凝縮器空冷ファンは回転数のコントロールが行え、圧縮機も冷却能力に適した能力にするために圧縮機回転数をコントロールできるショーケースにおいて、所要冷却能力の変化に応じて、圧縮機の回転速度を変更する場合、ショーケース配管の振動を検知する振動量を測定し、振動量が増加した場合は、圧縮機回転速度の増加を止め、もしくは低下させ、その分の冷却能力低下を、凝縮器空冷ファンのファン速度を上げ、サブクールをとることで、補うことを要旨とするものである。
【００２２】
請求項３記載の本発明によれば、共振点の検知は、振動センサにより振動の量が一定以上になると、共振と判断させるもので、配管が固定されていないユニットを引き出すことにより、共振点が変化しかねない場合でも、振動センサにより、振動の量を検知することが、共振点を回避する手段として有効となる。
【００２３】
請求項４記載の本発明は、凝縮器空冷ファンのファン速度を上げても冷却能力を得られない場合は、振動量が一旦は増加しても、再度低下するまで圧縮機回転速度を増速させ、その状態で凝縮器空冷ファンのファン速度を適正な回転数に戻すことを要旨とするものである。
【００２４】
請求項４記載の本発明によれば、凝縮器空冷ファンのファン速度を上げても冷却能力を得られない場合は、圧縮機回転速度を増速させ、その状態で凝縮器空冷ファンのファン速度を適正な回転数に戻すことで、凝縮器空冷ファンのファンモータと圧縮機の合計電力を抑制できる。
【発明の効果】
【００２５】
以上述べたように本発明のショーケースは、ショーケースを構成する部品の固有振動数と圧縮機運転での振動により、共振状態となった場合、騒音となったり、振動が増加することで配管の歪みにより、配管の折れが発生を防止するのに、共振点を強制通過することを抑制することで、凝縮器空冷ファンのファンモータと圧縮機の合計電力を抑制でき、省エネとなるものである。
【発明を実施するための形態】
【００２６】
以下、図面について本発明の実施の形態を詳細に説明する。図１は本発明のショーケースの１実施形態を示すフローチャートで、ショーケース自体については前記背景技術で説明した通りであり、断熱壁で形成されるショーケース本体の内部を、商品の陳列棚を有する商品収納庫と、その外側の庫内ファンによる冷気循環ダクトとに庫内壁面板で区画し、該冷気循環ダクト内に冷却器を配設し、冷気循環ダクトの片側端部として下端側に空気吸込口を、前記吸込口と対向する片側端部として上端側に冷気吹出口を形成し、該吹出口から吹き出す冷気で開口に冷気エアカーテンを形成して商品収納庫内を冷却するショーケースで、ショーケース本体の下部に形成される機械室内には、冷気を作るための、圧縮機、凝縮器などを収納し、サブクールを作るための凝縮器空冷ファンを有し、その凝縮器空冷ファンは、回転数をコントロールでき、圧縮機も冷却能力に適した能力にするために圧縮機回転数をコントロールできるものである。
【００２７】
所要冷却能力の変化に応じて、圧縮機の回転速度を変更する場合である。共振点近傍の運転制御フローとして、振動量が一定以上か否かを判断する。
【００２８】
たとえば、狙うべく圧縮機の回転数が、ショーケース配管などの固有周波数に１０〜数Hz以内となるか否かである。
【００２９】
この配管などの固有周波数は、予めショーケースの工場製作の際の設計値から判断してもよいが、図示は省略するが、ショーケース配管の振動を検知する振動計を設けて、振動量を測定するようにしてもよい。
【００３０】
共振点近傍での運転では、それまで増加させていた圧縮機の回転数を増速させないで前回の周波数で運転するようにする。
【００３１】
同時にＤＣファンモータの回転数を増加させることにより、凝縮器空冷ファンのファン速度を上げ、サブクールをとることで、圧縮機の負荷を軽減し、圧縮機側を増速させないで済むようにする。
【００３２】
前記振動量が一定以下で共振点近傍にならないような場合は、圧縮機は通常運転で、周波数制御を行い、所要冷却能力の変化に応じて、圧縮機の回転速度を変更する。
【００３３】
また、機械室の凝縮器空冷ファンは通常回転数で運転する。
【００３４】
なお、図示は省略するが、凝縮器空冷ファン速度を上げても必要能力を得られない場合は、共振周波数を一気に通過させ、冷却能力増の状態にして、凝縮器空冷ファン速度を増速状態から、低下させていく。
【００３５】
また、前記のように振動計でショーケース配管の振動を検知する振動量を測定し、振動量が増加した場合は、圧縮機回転速度の増加を止め、もしくは低下させる。
【００３６】
そして、その分の冷却能力低下を、凝縮器空冷ファンのファン速度を上げ、サブクールをとることで、補うものとする。
【００３７】
このようにして、凝縮器空冷ファンのファン速度を上げても冷却能力を得られない場合は、振動量が一旦は増加しても、再度低下するまで圧縮機回転速度を増速させ、その状態で凝縮器空冷ファンのファン速度を適正な回転数に戻す。
【図面の簡単な説明】
【００３８】
【図１】本発明のショーケースの１実施形態を示す運転動作のフローチャートである。
【図２】ショーケースの機械室部分の平面図である。
【図３】冷凍冷蔵オープンショーケースの縦断側面である。
【図４】冷凍冷蔵オープンショーケースの斜視図である。
【符号の説明】
【００３９】
１  ショーケース            ２  ショーケース本体
３  商品収納部              ４  機械室
５  断熱壁                  ６  仕切板
７  背面板                  ８  天井パネル
９  側板                    １０  ガラス板
１１  商品棚                １２  底棚
１３  冷気ダクト            １４  吐出口
１５  吸入口                １６  整流板
１７  冷却ファン            １８  冷却器
１９  凝縮器                ２０  圧縮機
２１  凝縮器空冷ファン      ２２  排気ダクト
２５  電装ボックス
４１  枠体                  ４２  前基台
４３  後基台                ５３  冷媒配管
【図１】
2014070874.tif 000003
【図２】
2014070874.tif 000004
【図３】
2014070874.tif 000005
【図４】
2014070874.tif 000006